(57)【要約】帽体が後頭部深くまで被さるタイプのヘルメットに対しても、頭部への着脱作業が迅速、容易かつ確実に行うことができる。一端部に係合溝を有し、他端部に係合爪を有するヘッドバンドの該両端部をスライドさせることにより周囲長を調節し、前記係合溝と係合爪との係合により環状に接続されるヘッドバンドであって、前記係合爪を前記他端部に対して略平行に取付けた弾性片に設けることにより、係合爪が係合溝に係止した状態では、前記一端部は他端部に対して進出自在であるが、後退不能とすると共に、前記弾性片を弾発することにより前記係合溝と係合爪との係合を解除可能としたヘッドバンドにおいて、前記一端部の進出をロープによる牽引動作により行う。
2002028213.tif 000002
【特許請求の範囲】
【請求項１】
一端部に係合溝を有し、他端部に係合爪を有するヘッドバンドの該両端部をスライドさせることにより周囲長を調節し、前記係合溝と係合爪との係合により環状に接続されるヘッドバンドであって、前記係合爪を前記他端部に対して略平行に取付けた弾性片に設けることにより、係合爪が係合溝に係止した状態では、前記一端部は他端部に対して進出自在であるが、後退不能とすると共に、前記弾性片を弾発することにより前記係合溝と係合爪との係合を解除可能としたヘッドバンドにおいて、前記一端部の進出をロープによる牽引動作により行うことを特徴とするヘルメット用ヘッドバンド。
【請求項２】
前記弾性片の弾発をロープによる牽引動作により行うことを特徴とする請求項１記載のヘルメット用ヘッドバンド。
【請求項３】
前記進出を、前記一端部および／または前記他端部に緊結したロープにより行う請求項１または請求項２記載のヘルメット用ヘッドバンド。
【請求項４】
前記一端部に緊結されたロープの自由端と前記他端部に緊結されたロープの自由端とが一つに纏められてなる請求項３記載のヘルメット用ヘッドバンド。
【請求項５】
前記各端部の先端と該先端近傍の反対端部との、いずれか一方をロープの固定端とすると共にいずれか他方をロープの摺動端とし、該摺動端とロープの自由端の間に前記固定端を位置させてなる請求項３記載のヘルメット用ヘッドバンド。
【請求項６】
前記弾性片の弾発を、該弾性片に緊結したロープにより行う請求項２〜請求項５記載のヘルメット用ヘッドバンド。
【請求項７】
前記ロープが帽体の内壁または外壁に沿って巡らされ、該ロープの自由端に撮みを有する請求項１〜請求項６記載のヘルメット用ヘッドバンド。
【発明の詳細な説明】
技術分野
この発明は、ヘルメット用ヘッドバンドに関し、特に、建設作業、土木作業、その他各種作業、または、自動二輪者などの車両運転時や運動競技時において、頭部防護のために着用されるヘルメットのヘッドバンドの構造に関するものである。
背景技術
ヘルメット用ヘッドバンドは、着用者の頭部の回りに装着されて、ヘルメットを頭部に固定する役割を担っている。
図６は一般的な作業用ヘルメット１を示しており、帽体２とその内側に密着固定された衝撃吸収用のライナー３とを縦断して、内部の着装体４を示す斜視図である。着装体４は、十字状のハンモック５と、環状に接続されたヘッドバンド１０と、あごひも６とからなり、この着装体４がブラケット７、７を介して帽体２に取り付けられることにより、ヘルメット１が構成されている。
ヘッドバンド１０は、そのサイズを着用者の頭部の大きさに合わせるために、ヘッドバンド１０の周囲長を調整する必要がある。この従来例では、ヘッドバンド１０の一端部に多数の小突起８、８・・・を等間隔で設けるとともに、他端部に前記小突起８、８・・・と係合する小孔をヘッドバンド１０の長さ方向に多数穿設し、両者を適宜係止することにより周囲長を調整することができるようになっている。
しかしながら、上記小突起８、８・・・と小孔は寸法が小さいので、ヘッドバンド１０の着脱作業は容易ではなく、特に、ヘルメット１を装着した状態における後頭部位の調整作業は極めて困難である。
一方、ヘッドバンドの周囲長を調整するだけであれば、ピニオン・ラック形式を採用したサイズ調整バンド（日本国特開平８−２７６１３号公報）や、ウォームネジ機構をヘッドバンドの途中に組み込んで微調整を可能としたヘルメット用ヘッドバンド（日本国特開平７−２９３５１５号公報）も知られている。
しかしながら、これらのヘッドバンドの調整機構は構造が複雑化するとともに、ヘルメットの重量を増加させるという欠点を有している。
本発明者は先に、一端部に係合凸部を有し、他端部に係合凹部を有するヘッドバンドの該両端部をスライドさせることにより周囲長を調節し、前記両係合部の係合により環状に接続されるヘッドバンドにおいて、前記係合凸部が前記係合凹部に係止した状態では、他端部は一端部に対して進出自在であるが、後退不能とされ、前記両端部の各外表面に、該両端部を片手の指先で引き寄せることのできる一対の掛止部を設けてなるヘッドバンドを提案した（日本国特開平１１−３０２９１５号公報）。当該発明によれば、一般的な作業用ヘルメットであれば、ヘッドバンドのサイズ調整を着装状態において片手の指先だけで行うことができ、ヘルメットの着脱作業を容易かつ迅速に行うことができる。
しかしながら、フルフェイス型自動二輪車用、消防士用、軍事用等のヘルメットでは、掛止部を設ける後頭部深くまで帽体が被さるので、掛止部に指先が届かず（または届きにくく）、容易かつ迅速な着脱作業が阻害される。
発明の開示
本発明は、前記した帽体が後頭部深くまで被さるタイプのヘルメットに対しても、また、通常の作業用ヘルメットに対しても、頭部への着脱作業が迅速、容易かつ確実に行うことができるヘルメット用ヘッドバンドを提供することを目的としたものである。
本発明は、一端部に係合溝を有し、他端部に係合爪を有するヘッドバンドの該両端部をスライドさせることにより周囲長を調節し、前記係合溝と係合爪との係合により環状に接続されるヘッドバンドであって、前記係合爪を前記他端部に対して略平行に取付けた弾性片に設けることにより、係合爪が係合溝に係止した状態では、前記一端部は他端部に対して進出自在であるが、後退不能とすると共に、前記弾性片を弾発することにより前記係合溝と係合爪との係合を解除可能としたヘッドバンドにおいて、前記一端部の進出をロープによる牽引動作により行うことを特徴とするものである。
前記弾性片の弾発もロープによる牽引動作により行うことが好ましい。
前記進出は、前記一端部および／または前記他端部に緊結したロープにより行うことが好ましい。
前記一端部に緊結されたロープの自由端と前記他端部に緊結されたロープの自由端とを一つに纏めておくことが好ましい。
前記各端部の先端と該先端近傍の反対端部との、いずれか一方をロープの固定端とすると共にいずれか他方をロープの摺動端とし、該摺動端とロープの自由端の間に前記固定端を位置させてなることが好ましい。
前記弾性片の弾発は該弾性片に緊結したロープにより行うことが好ましい。
前記ロープが帽体の内壁または外壁に沿って巡らされ、該ロープの自由端に撮みを有することが好ましい。
上記ヘッドバンドが緩めに調整されたヘルメットを被った着用者が、各端部用ロープを引けば、一端部の係合溝が弾性片の係合爪に接触して、一端部が弾性片を押し上げながらバックル内を前進し、ヘッドバンドは絞り込まれる。このとき、係合爪は所定の係合溝と噛み合って係止しているので、ヘッドバンドが緩むことはない。また、両端部には均等の引張力が掛かるので、ヘルメットに対してヘッドバンドが円周方向にずれることはない。
他方、ヘッドバンドを緩めるときには、バックル用ロープを引くことにより、弾性片の先端を変形させることができ、これにより係合爪が係合溝から外れるので、同ロープによるヘッドバンドの半径方向の引張力と相俟って、ヘッドバンドが円周方向に伸長し、緩まる。
発明を実施するための最良の形態
以下、本発明に係るヘッドバンドの最良の実施形態を、図面に基づいて説明する。図１は、ヘッドバンド１０の端部係合状態を示す斜視図であり、図２は、その周方向における縦断側面図である。ヘッドバンド１０は塩化ビニル、ポリエチレン、その他の可撓性の合成樹脂や、硬質ゴムにて製造される。
なお、以下の説明において、ヘッドバンドの両端部を接続する際に、各端部が進行する方向を前方といい、各端部が後退する方向を後方ということにする。
図１において、ヘッドバンド１０の一端部１２の外表面には、断面が鋸歯状の係合溝１４が形成されている。他方、ヘッドバンド１０の他端部２２にはバックル２０が形成されている。バックル２０は偏平な角筒体により構成され、その内部を前記一端部１２の挿通空間２１としている。バックル２０の外表面２３にはコ字状のスリット２５を形成することにより舌状の弾性片２６を設け、この弾性片２６の先端近傍内壁には、図２に示すように、係合爪２８を突設している。
而して、本実施形態のヘッドバンド１０では、一端部１２を他端部２２に設けられたバックル２０内に挿通させ、ヘッドバンド１０を着用者の最適な長さに調整して、環状に接続するものであり、係合溝１４に係合爪２８が係止した状態では、一端部１２はバックル２０に対して進出自在であるが、後退不能となっている。
一端部１２の先端外表面には、接続片３１Ａを介してロープ３２Ａが緊締されている。また、他端部２２においても、バックル２０の先端外表面には、接続片３１Ｂを介してロープ３２Ｂが緊締されると共に、弾性片２６には、接続片３１Ｃを介してロープ３２Ｃが緊締されている。接続片３１Ａ、３１Ｂ、３１Ｃはヘッドバンド１０の一部とロープ３２Ａ、３２Ｂ、３２Ｃとを緊締することができれば、どのような形状、形態であってもよく、例えば、ヘッドバンド１０に穿設した孔としてもよい。
ロープ３２Ａ、３２Ｂ、３２Ｃは、ヘッドバンド１０の端部１２、２２および弾性片２６の牽引に支障のない素材、太さのものとし、テープ、ベルト、紐を含む。特に、ナイロン、ポリエチレン等、合成樹脂製のものが好ましい。ロープ３２Ａ、３２Ｂ、３２Ｃの他端には、撮み３３Ａ、３３Ｂ、３３Ｃが設けられている。
撮み３３Ａ、３３Ｂ、３３Ｃの形状には格別の制限はなく、指先に掛けてロープ３２Ａ、３２Ｂ、３２Ｃを牽引することができれば良く、図示したリング状の他、球状、小片状とすることができる。
本発明において撮み３３Ａ、３３Ｂ、３３Ｃは必須の構成部材ではなく、例えば、ロープ３２Ａ、３２Ｂ、３２Ｃの他端をねじに巻き付けて牽引可能としても良い。
図３は上記ヘッドバンド１０を備えたヘルメットの平面図であり、ロープ３２Ａ、３２Ｂが、帽体２の内壁に円周方向に設けた止具４０、４０・・・に沿って巡らされ、ロープ３２Ａの自由端とロープ３２Ｂの自由端とが帽体２の前頭部（図３において下方）の一か所に纏められ、撮み３３ＡＢが設けられていることが示されている。
本実施形態において、ヘッドバンド１０が緩めに調整されたヘルメットを被った着用者が、撮み３３ＡＢを引けば、ロープ３２Ａとロープ３２Ｂがヘッドバンド１０の円周反対方向に引っ張られる結果、一端部１２の係合溝１４が弾性片２６の係合爪２８に接触して、一端部１２が弾性片２６を押し上げながらバックル２０内を前進し、ヘッドバンド１０の周囲長を短く調節することができる。
さらに、本実施形態では両端部１２、２２に同時に引張力が掛かるので、ヘッドバンド１０が円周方向にずれることがなく、ヘルメットのスムーズな装着が可能となる。
これに対して、ロープ３２Ａとロープ３２Ｂの自由端が一か所に纏められてないと、ロープ３２Ａまたはロープ３２Ｂを別々に引っ張ることになり、その場合、円周の一方向に引張力が掛かって、ヘッドバンド１０が回転し易くなる。また、ロープ３２Ａとロープ３２Ｂのいずれか一方しか設けない場合も、同様にヘッドバンド１０が回転し易い。これらの場合には、別途、ヘッドバンド１０の回り止めを用意しておくことが望ましい。
また、ロープ３２Ａ、３２Ｂを塩化ビニル、ポリエチレン等、可撓性を有する合成樹脂や、硬質ゴムからなるテープ状とした上で、各ロープ３２Ａ、３２Ｂの外表面端部に掛止突起を設け、これを撮み３３Ａ、３３Ｂとしても良い。この実施形態によれば、撮み３３Ａ、３３Ｂの双方に指を掛けてロープ３２Ａ、３２Ｂを同時に引くことができると共に、上記ロープ３２Ａ、３２Ｂの材質と形状に関する工夫から、撮み３３Ａ、３３Ｂが垂れ下がることがない。
本実施形態において、撮み３３ＡＢを引き終えた状態では、図２に示すように、係合爪２８が所定の係合溝１４と噛み合って係止しているので、一端部１２は他端部２２に対して進出自在であるが、後退不能となり、両端部１２、２２が緩むことはない。
他方、ヘッドバンド１０を緩めたり、両端部１２、２２を分離しようとする場合には、ロープ３２Ｃの撮み３３Ｃを引くことにより、弾性片２６の先端が挿通空間２１の外方へと変形する。この結果、係合爪２８が係合溝１４から外れるので、ロープ３２Ｃによるヘッドバンド１０の半径方向の引張力と相俟って、ヘッドバンド１０が円周方向に伸長し、緩まる。
次に、図４に示すヘッドバンド両端部の周方向における縦断側面図により、本発明の別の実施形態を説明する。
この実施形態は、ロープ３２Ａとロープ３２Ｂの掛け方が相違する以外は前記実施形態と同様であるから、図２と同じ部材には図２と同一の符号を付して、その説明を省略する。なお、本図にはバックル２０がロープ３２Ｃによって引っ張られ、係合爪２８と係合溝１４とが噛み合っていない状態が図示されている。
本実施形態では、一端部１２に取付けられた接続片３１Ａには、ロープ３２Ａが摺動自在に掛けられており、ロープ３２Ａの固定端は、一端部１２の近傍に位置する他端部２２の外表面に取付けられた接続片３５Ａであり、これに緊締されたロープ３２Ａが、接続片３１Ａの孔を通って接続片３５Ａ方向に折り返し、接続片３５Ａの後方まで延びている。他端部２２においても、これと同様に、ロープ３２Ｂの固定端は、バックル２０の先端近傍に位置する一端部１２の外表面に設けた接続片３５Ｂであり、接続片３１Ｂにはロープ３２Ｂが摺動自在に掛けられている。
本実施形態において、例えば、ロープ３２Ａの自由端に位置する撮み３３を引けば、一端部１２と他端部２２が接近する方向に同時に引っ張られるから、図２において説明した作用と同様にして、一端部１２の先端はバックル２０内を前進し、ヘッドバンド１０が締まることになる。
さらに、本実施形態によれば、ロープ３２Ａまたはロープ３２Ｂのいずれか一方を引っ張れば、両端部１２、２２に略均等の引張力が掛かることになる。従って、ヘッドバンド１０が回転することがなく、ヘルメットのスムーズな装着が可能となる。
図５に示す本発明の他の実施形態は、ロープ３２Ａとロープ３２Ｃのみを設けたヘッドバンド１０を備えたヘルメットの平面図であって、ロープ３２Ｃが係合解除用である点は図３に示す実施形態と同じである。
また、本実施形態の変形として、バックル２０の位置を側頭部としたり、あるいは、左右側頭部２箇所として、着脱操作の便宜を図ることもできる。
なお、図４または図５に示した実施形態において、接続片３１Ａまたは接続片３１Ｂを固定端とし、接続片３５Ａまたは接続片３５Ｂを摺動端として、ロープ３２Ａまたはロープ３２Ｂを引き回しても、上記と同様にスムーズな装着が可能なヘッドバンドが得られる。
ロープ３２Ａ、３２Ｂ、３２Ｃが長過ぎると、その仕舞方法によっては帽体２の縁から垂れ下がって、ヘルメット着用者に煩わしい。そのような場合には、ねじ式、その他のロープ３２の巻取り器を設けたり、あるいは、ロープ３２の途中にゴム紐、コイルスプリング等の弾性材を介在させることが望ましい。その他、ロープ３２の経路や端部の格納方法を工夫してもよい。例えば、図３において、撮み３３ＡＢを前頭部ではなく、後頭部（図３において上方）に位置させても良い。
なお、図３の実施形態では、ロープ３２Ａ、３２Ｂを帽体２の内壁に沿って巡らしたが、これに限らず、帽体２にロープ用の透孔（図示せず）を設けておき、この透孔を貫通させてロープ３２Ａ、３２Ｂを外側に取り出し、帽体２の外壁を周回させるようにしてもよい。
また、フルフェイス型ヘルメットでは、撮み３３が帽体２内にあると操作が不便となるので、前記透孔を設け、帽体２の外側から撮み３３（前述したロープ３２Ａ、３２Ｂの外表面端部に設けた掛止突起を含む。）を操作してヘッドバンドの着脱を行うようにすることが好ましい。
本発明のヘッドバンドによれば、ヘッドバンドのサイズ調整を着装状態においてロープの牽引という片手操作だけで行うことができる。従って、ヘルメットを迅速、容易かつ確実に着脱することができる。
また、ヘッドバンドの構造が極めて簡易であることから、製造コストも廉価であり、ヘルメットの重量が増加することもない。
【図面の簡単な説明】
図１は、本発明に係るヘッドバンドの端部係合状態を示す斜視図であり、図２は、図１に示すヘッドバンドの周方向における縦断側面図であり、図３は、前記ヘッドバンドを備えたヘルメットの平面図であり、図４は、本発明の別の実施形態であるヘッドバンド両端部の縦断側面図であり、図５は、本発明の他の実施形態を示すヘルメットの平面図であり、図６は、一般的な作業用ヘルメットの内部を示す縦断側面図である。
【図１】
2002028213.tif 000003
【図２】
2002028213.tif 000004
【図３】
2002028213.tif 000005
【図４】
2002028213.tif 000006
【図５】
2002028213.tif 000007
【図６】
2002028213.tif 000008
【手続補正書】
【提出日】平成14年5月13日(2002.5.13)
【手続補正１】
【補正対象書類名】明細書
【補正対象項目名】特許請求の範囲
【補正方法】変更
【補正の内容】
【特許請求の範囲】
【請求項１】
一端部に係合溝を有し、他端部に係合爪を有するヘッドバンドの該両端部をスライドさせることにより周囲長を調節し、前記係合溝と係合爪との係合により環状に接続されるヘッドバンドであって、前記係合爪を前記他端部に対して略平行に取付けた弾性片に設けることにより、係合爪が係合溝に係止した状態では、前記一端部は他端部に対して進出自在であるが、後退不能とすると共に、前記弾性片を弾発することにより前記係合溝と係合爪との係合を解除可能としたヘッドバンドにおいて、前記一端部の進出をロープによるヘッドバンドの円周方向への牽引動作により行うことを特徴とするヘルメット用ヘッドバンド。
【請求項２】
前記弾性片の弾発をロープによるヘッドバンドの半径方向への牽引動作により行うことを特徴とする請求項１記載のヘルメット用ヘッドバンド。
【請求項３】
前記進出を、前記一端部および／または前記他端部に緊結したロープにより行う請求項１または請求項２記載のヘルメット用ヘッドバンド。
【請求項４】
前記一端部に緊結されたロープの自由端と前記他端部に緊結されたロープの自由端とが一つに纏められてなる請求項３記載のヘルメット用ヘッドバンド。
【請求項５】
前記各端部の先端と該先端近傍の反対端部との、いずれか一方をロープの固定端とすると共にいずれか他方をロープの摺動端とし、該摺動端とロープの自由端の間に前記固定端を位置させてなる請求項３記載のヘルメット用ヘッドバンド。
【請求項６】
前記弾性片の弾発を、該弾性片に緊結したロープにより行う請求項２〜請求項５記載のヘルメット用ヘッドバンド。
【請求項７】
前記ロープが帽体の内壁または外壁に沿って巡らされ、該ロープの自由端に撮みを有する請求項１〜請求項６記載のヘルメット用ヘッドバンド。
【請求項８】
前記ロープが前記内壁または外壁に設けた止具を介して巡らされてなる請求項７記載のヘルメット用ヘッドバンド。
【請求項９】
前記ロープが合成樹脂または硬質ゴムでテープ状に成形されてなり、その外表面端部に設けた掛止突起を前記撮みとした請求項７または請求項８記載のヘルメット用ヘッドバンド。
【請求項１０】
前記ロープが前記止具で折り返されてなる請求項８または請求項９記載のヘルメット用ヘッドバンド。
【請求項１１】
前記撮みが帽体の内外壁を貫通する透孔を臨む位置に設けられてなる請求項７〜請求項１０記載のヘルメット用ヘッドバンド。
【国際調査報告】
2002028213.tif 000009
2002028213.tif 000010
2002028213.tif 000011
2002028213.tif 000012